(57)【要約】【課題】トラッキング制御に必要な信号を得ることができる光情報記憶装置、光情報記憶システム、および光ピックアップを提供する。【解決手段】プリズム３０６で整形されて入射される平行光束を第１の偏光分離面で内側部分と外側部分とに分離して、内側部分は集光レンズ３５を介してＭＯディスク１３へと導くとともに、外側部分は反射プリズム部３１４によって反射して第２の偏光分離面３１５に導いて、ＭＯディスク１３から戻ってきた光と光検出器上で干渉させる複合素子３１０を備えている。【選択図】        図１０
2004326961.tif 000002
【特許請求の範囲】
【請求項１】
線状のトラックが設けられた光記憶媒体上に光を集光し、その光の集光スポットを該トラックに追随させながら、該光記憶媒体に対する情報記録および又は情報再生を行う光情報記憶装置であって、
前記集光スポットと前記トラックとのずれを表した信号を得るための第１の受光素子と、
前記集光スポットと前記トラックとのずれを表した信号を得るための第２の受光素子と、
平行光束を生成する光束生成部と、
前記光束生成部で生成された平行光束を内側部分と外側部分とに分離し、外側部分を前記第２の受光素子に導く光分離部と、
前記平行光束の、前記光分離部によって分離された内側部分を前記光記憶媒体上に集光して前記集光スポットを形成する集光部と、
前記集光部の、前記内側部分が通過した通過部分に前記光記憶媒体から戻ってきた光は前記第１の受光素子へと導き、該集光部の、該通過部分を除く他の部分に前記光記憶媒体から戻ってきた光は前記第２の受光素子へと導いて前記外側部分と干渉させる光誘導部とを備えたことを特徴とする光情報記憶装置。
【請求項２】
前記光記憶媒体が複数格納された媒体格納部と、
前記第１の受光素子、前記第２の受光素子、前記光束生成部、前記光分離部、前記集光部、および前記光誘導部を備えた、前記光記憶媒体に対して情報の記録及び又は再生を行う記録再生部と、
前記媒体格納部と前記記録再生部との相互間で前記光記憶媒体を移動させる媒体移動部と、
前記媒体格納部、前記媒体移動部、および前記記録再生部が内部に一列に配置され、それら媒体格納部、媒体移動部、および記録再生部を一体に保持するブレード筐体と、
この光情報記憶装置が複数実装されるシステム筐体に、この光情報記憶装置を着脱自在に接続する接続部とを備えたことを特徴とする請求項１記載の光情報記憶装置。
【請求項３】
線状のトラックが設けられ、情報の記録および再生が可能な、光によって少なくとも情報再生が行われるディスク状の光記憶媒体が複数格納された媒体格納部と、前記光記憶媒体に光を集光し、その光の集光スポットを該トラックに追随させながら、該光記憶媒体に対して情報の記録及び又は再生を行う記録再生部と、前記媒体格納部と前記記録再生部との相互間で前記光記憶媒体を移動させる媒体移動部と、前記媒体格納部、前記媒体移動部、および前記記録再生部が内部に一列に配置され、それら媒体格納部、媒体移動部、および記録再生部を一体に保持するブレード筐体とをそれぞれが備えた複数の光情報記憶装置であって、前記記録再生部が、更に、前記集光スポットと前記トラックとのずれを表した信号を得るための第１の受光素子と、前記集光スポットと前記トラックとのずれを表した信号を得るための第２の受光素子と、平行光束を生成する光束生成部と、前記光束生成部で生成された平行光束を内側部分と外側部分とに分離し、外側部分を前記第２の受光素子に導く光分離部と、前記平行光束の、前記光分離部によって分離された内側部分を前記光記憶媒体上に集光して前記集光スポットを形成する集光部と、前記集光部の、前記内側部分が通過した通過部分に前記光記憶媒体から戻ってきた光は前記第１の受光素子へと導き、該集光部の、該通過部分を除く他の部分に前記光記憶媒体から戻ってきた光は前記第２の受光素子へと導いて前記外側部分と干渉させる光誘導部とを備えた複数の光情報記憶装置と、
前記複数の光情報記憶装置が実装されるとともに、それら複数の光情報記憶装置を着脱自在に保持するシステム筐体と、
前記システム筐体に実装された複数の光情報記憶装置それぞれにおける情報の記録及び又は再生を統括する統括部とを備えたことを特徴とする光情報記憶システム。
【請求項４】
線状のトラックが設けられた光記憶媒体上に光を集光して集光スポットを形成し、その集光スポットによって該光記憶媒体にアクセスするための光ピックアップであって、
前記集光スポットと前記トラックとのずれを表した信号を得るための第１の受光素子と、
前記集光スポットと前記トラックとのずれを表した信号を得るための第２の受光素子と、
平行光束を生成する光束生成部と、
前記光束生成部で生成された平行光束を内側部分と外側部分とに分離し、外側部分を前記第２の受光素子に導く光分離部と、
前記平行光束の、前記光分離部によって分離された内側部分を前記光記憶媒体上に集光して前記集光スポットを形成する集光部と、
前記集光部の、前記内側部分が通過した通過部分に前記光記憶媒体から戻ってきた光は前記第１の受光素子へと導き、該集光部の、該通過部分を除く他の部分に前記光記憶媒体から戻ってきた光は前記第２の受光素子へと導いて前記外側部分と干渉させる光誘導部とを備えたことを特徴とする光ピックアップ。
【発明の詳細な説明】
【０００１】
【発明の属する技術分野】
本発明は、線状のトラックが設けられた光記憶媒体上に光を集光し、その光の集光スポットを該トラックに追随させながら、該光記憶媒体に対する情報記録および又は情報再生を行う光情報記憶装置、複数の光情報記憶装置が組み込まれた光情報記憶システム、および光記憶媒体に光を集光する光ピックアップに関する。
【０００２】
【従来の技術】
従来より、ＣＤ，ＣＤ−ＲＯＭ，ＣＤ−Ｒ，ＤＶＤ，ＰＤ，ＭＯ，ＭＤ等といった光記憶媒体は、音声、文字、画像等の情報を記憶する情報記憶媒体として広く普及しており、この光記憶媒体に対して情報記録や情報再生を行う光情報記憶装置も知られている。このような光記憶媒体では、一般に、同心円状あるいは渦巻き状の案内溝に挟まれた帯状の領域に情報が記憶され、このような案内溝や帯状の領域は一般にトラックと称される。この光記憶媒体に対する情報記録や情報再生の際には、光記憶媒体に光が集光されて集光スポットが形成され、その集光スポットによって情報記録や情報再生が行われる。従って、安定した情報記録や情報再生のためには、集光スポットがトラックに正確に追随することが必要であり、従来より、集光スポットとトラックとのずれを修正するいわゆるトラッキング制御が行われている。
【０００３】
上述したような光情報記憶装置は、記録媒体が可搬である点や、大容量かつ小型軽量である点で注目されており、近年におけるコンピュータの高性能化に伴い、そのような光情報記憶装置による情報の記憶密度を飛躍的に向上させることが望まれている。特に、レーザのビームスポットの熱と磁石の磁界によって情報が記録される光磁気（ＭＯ）ディスクや、レーザのビームスポットの熱で生じる相変化によって情報が記録される相変化光ディスク等は、情報の書き換えが可能な高密度記録媒体として注目されており、研究開発がさかんである。また、この光情報記憶装置に組み込まれて、光記憶媒体に光を集光し、光記憶媒体からの戻り光を受光する光ピックアップも種々のタイプが研究されている。
【０００４】
光情報記憶装置や光記憶媒体における記憶密度を向上させるために提案されている技術には大きく分けて２つの方向があり、１つは、集光スポットのサイズを縮小することなどにより、情報の線記録密度を増加させる方向で、もう１つは、トラックの間隔（ピッチ）を狭めて情報の面記録密度を増加させる方向である。
【０００５】
いずれの方向の技術についても、記録再生に使用する半導体レーザの波長を短縮することが効果的であるが、緑色あるいは青色といった短波長を室温で安定に長時間連続発振する半導体レーザが安価に実現されるには今しばらく時間が掛かりそうである。
【０００６】
また、情報の線記録密度を増加させる方向の技術としては、光磁気記録媒体に再生磁場を掛けることによって再生対象をレーザスポットよりも小さな領域に限定する磁気超解像（Ｍａｇｎｅｔｉｃ  Ｓｕｐｅｒ  Ｒｅｓｏｌｕｔｉｏｎ：ＭＳＲ）のように、現行波長の半導体レーザを用いて線記録密度を大幅に改善する技術が有望視されている。
【０００７】
トラックの間隔（ピッチ）を狭める方向性についても様々な要素技術が提案されているが、トラックの間隔が狭まると、従来のトラッキング制御の技術では、以下説明するように不都合を生じることが予想される。
【０００８】
従来のトラッキング制御では、トラック上の集光スポットがトラックによって回折されて生じる０次回折光、＋１次回折光、−１次回折光などを、その集光スポットを形成した集光レンズを介して集め、それらの回折光が互いに干渉し合って生じる干渉パターンを受光素子で受光することによって、トラックと集光スポットとのずれを表すトラックエラー信号を得ている（例えば、特許文献１参照。）。
【０００９】
【特許文献１】
特開２００１−１２６３０３号公報（第２０頁、第３図）
【００１０】
【発明が解決しようとする課題】
ところが、トラックの間隔が狭まると、回折光の回折角度が増大し、集光スポットを形成した集光レンズを介して集められる回折光では十分な干渉が生じず、トラッキング制御に必要なトラックエラー信号が十分に得られないと言う不都合が生じることが予想される。
【００１１】
これに対し、トラッキング制御に必要な信号を得るための光学系や回路素子などを新たに付け加えることは、装置の小型化や光ピックアップの簡素化を妨げるため望ましくない。
【００１２】
そこで、トラックの間隔が狭くても十分なトラックエラー信号を得ることができる光ピックアップや、そのようなトラックエラー信号で正確なトラッキング制御を行うことによって高い記録密度を実現することができる光記憶装置を、従来の光記憶装置や光ピックアップに組み込まれている光学系などを改良することによって実現することが望まれている。
【００１３】
本発明は、上記事情に鑑み、正確なトラッキング制御を行うことによって高い記録密度を実現した光情報記憶装置および光情報記憶システムと、トラックの間隔が狭くても、正確なトラッキング制御に必要なトラックエラー信号を十分に得ることができる光ピックアップを提供することを目的とする。
【００１４】
【課題を解決するための手段】
上記目的を達成する本発明の光情報記憶装置は、線状のトラックが設けられた光記憶媒体上に光を集光し、その光の集光スポットをトラックに追随させながら、光記憶媒体に対する情報記録および又は情報再生を行う光情報記憶装置であって、
集光スポットとトラックとのずれを表した信号を得るための第１の受光素子と、
集光スポットとトラックとのずれを表した信号を得るための第２の受光素子と、
平行光束を生成する光束生成部と、
光束生成部で生成された平行光束を内側部分と外側部分とに分離し、外側部分を上記第２の受光素子に導く光分離部と、
平行光束の、光分離部によって分離された内側部分を光記憶媒体上に集光して集光スポットを形成する集光部と、
集光部の、上記内側部分が通過した通過部分に光記憶媒体から戻ってきた光は上記第１の受光素子へと導き、集光部の、その通過部分を除く他の部分に光記憶媒体から戻ってきた光は上記第２の受光素子へと導いて上記外側部分と干渉させる光誘導部とを備えたことを特徴とする。
【００１５】
本発明の光情報記憶装置によれば、平行光束の外側部分と、光記憶媒体から戻ってきた光とが干渉して第２の受光素子上に干渉パターンが生じることによって、従来のトラッキング制御に用いられている干渉パターンの実質的な拡張が実現される。このため、この拡張された干渉パターンが第２の受光素子で受光されることによって、トラックの間隔が狭い場合であっても十分なトラックエラー信号を得ることができる。
【００１６】
本発明の光情報記憶装置は、上記光分離部が、上記内側部分および上記外側部分のそれぞれに対応した、偏光反射率が互いに相違する内側領域と外側領域とに分割された偏光分離面を有するものであるという形態が好適である。
【００１７】
この好適な形態の光情報記憶装置によれば、簡素な光学系によって所望の干渉パターンとトラックエラー信号を得ることができる。
【００１８】
また、本発明の光情報記憶装置は、
「光を受ける受光面が内側領域と外側領域に分割されていて、その内側領域が上記第１の受光素子としての機能を担い、その外側領域が上記第２の受光素子としての機能を担う分割受光素子を備えた」
形態であってもよく、あるいは、
「上記第１の受光素子と上記第２の受光素子とが物理的に独立なものである」
という形態であってもよい。
【００１９】
分割受光素子を備えた形態は、素子数の低減による組立の簡便化を図ることができ、２つの物理的に独立な受光素子を備えた形態は、２つの受光素子間の位相差を受光素子の配置位置によって補正することができる。
【００２０】
更に、本発明の光情報記憶装置は、
「この情報記憶装置が、直線偏光の光を前記光記憶媒体上に照射し、その光記憶媒体から戻ってきた光に含まれる、その直線偏光の偏光方向とは異なる偏光方向の光成分を抽出して受光することにより情報を再生するものであって、
再生した情報を表す信号を得るための第３の受光素子を備え、
上記光束生成部が、直線偏光の平行光束を生成するものであり、
上記光分離部が、光束生成部で生成された直線偏光の平行光束を内側部分と外側部分とに分離し、その内側部分を直線偏光のままで集光部へと導くものであり、
上記光誘導部が、上記通過部分に光記憶媒体から戻ってきた光に含まれる、上記平行光束の偏光方向とは異なる偏光方向の光成分を抽出して第３の受光素子へと導くものである」
という形態が好適である。
【００２１】
上述したように、光磁気（ＭＯ）ディスクは高密度記録媒体として注目されており、上述した、第３の受光素子を備えた形態によれば、直線偏光の光が集光部に導かれるので、ＭＯディスクに対する情報の記録再生に対応することができる。このような、第３の受光素子を備えた形態の光情報記憶装置において、
「  上記光分離部と上記光誘導部が一体に構成された複合素子を備え、この複合素子が、
内側領域と外側領域とに分割された、外側領域は上記直線偏光の偏光方向と同じ方向に偏光した光を全反射し、内側領域は上記直線偏光の偏光方向に垂直な方向に偏光した光を全反射する、光束生成部で生成された直線偏光の平行光束が入射する第１の偏光分離面と、
上記直線偏光の偏光方向に垂直な方向に偏光した光を全透過する、光束生成部で生成された平行光束のうち第１の偏光分離面を透過した光が直進して入射し、その光が透過して前記集光部へと向かう第２の偏光分離面と、
集光部から第２の偏光分離面に戻ってきて第２の偏光分離面によって反射される光の進行方向と同じ方向になるように、第１の偏光分離面によって反射された光を複数回反射して第２の偏光分離面に入射させる反射プリズムとを有するものであって、
上記第３の受光素子が、集光部から第２の偏光分離面に戻ってきて第２の偏光分離面を透過し、第１の偏光分離面によって反射された光を受光するものである」
という形態が更に好適である。
【００２２】
このような複合素子を備えることによって、素子数が大幅に低減されるとともに光学系の安定性が向上するので、組立の容易性も向上する。
【００２３】
本発明の光情報記憶装置は、
「  上記光記憶媒体が複数格納された媒体格納部と、
第１の受光素子、第２の受光素子、光束生成部、光分離部、集光部、および光誘導部を備えた、光記憶媒体に対して情報の記録及び又は再生を行う記録再生部と、
媒体格納部と記録再生部との相互間で光記憶媒体を移動させる媒体移動部と、
媒体格納部、媒体移動部、および記録再生部が内部に一列に配置され、それら媒体格納部、媒体移動部、および記録再生部を一体に保持するブレード筐体と、
この光情報記憶装置が複数実装されるシステム筐体に、この光情報記憶装置を着脱自在に接続する接続部とを備えた」
という形態も好適である。
【００２４】
このような形態の光情報記憶装置によれば、ブレード筐体内に媒体格納部と記録再生部と媒体移動部がコンパクトに納められており、光記憶媒体を増やすことや光情報記憶装置を複数並べることによって容易に容量を拡張することができ、ブレード筐体内に配置された媒体格納部や光記憶媒体の着脱や交換によってメンテナンスを容易に行うこともできる。
【００２５】
上記目的を達成する本発明の光情報記憶システムは、線状のトラックが設けられ、情報の記録および再生が可能な、光によって少なくとも情報再生が行われるディスク状の光記憶媒体が複数格納された媒体格納部と、光記憶媒体に光を集光し、その光の集光スポットをトラックに追随させながら、光記憶媒体に対して情報の記録及び又は再生を行う記録再生部と、媒体格納部と記録再生部との相互間で光記憶媒体を移動させる媒体移動部と、媒体格納部、媒体移動部、および記録再生部が内部に一列に配置され、それら媒体格納部、媒体移動部、および記録再生部を一体に保持するブレード筐体とをそれぞれが備えた複数の光情報記憶装置であって、上記記録再生部が、更に、集光スポットとトラックとのずれを表した信号を得るための第１の受光素子と、集光スポットとトラックとのずれを表した信号を得るための第２の受光素子と、平行光束を生成する光束生成部と、光束生成部で生成された平行光束を内側部分と外側部分とに分離し、外側部分を第２の受光素子に導く光分離部と、平行光束の、光分離部によって分離された内側部分を光記憶媒体上に集光して集光スポットを形成する集光部と、集光部の、上記内側部分が通過した通過部分に光記憶媒体から戻ってきた光は第１の受光素子へと導き、集光部の、その通過部分を除く他の部分に光記憶媒体から戻ってきた光は第２の受光素子へと導いて上記外側部分と干渉させる光誘導部とを備えた複数の光情報記憶装置と、
複数の光情報記憶装置が実装されるとともに、それら複数の光情報記憶装置を着脱自在に保持するシステム筐体と、
システム筐体に実装された複数の光情報記憶装置それぞれにおける情報の記録及び又は再生を統括する統括部とを備えたことを特徴とする。
【００２６】
本発明の光情報記憶システムによれば、本発明の光情報記憶装置と同様に、トラックの間隔が狭い場合であっても、拡張された干渉パターンによる正確なトラッキング制御を行うことができるので、高密度の情報記録が実現される。また、この光情報記憶システムは、ブレード筐体内に媒体格納部と記録再生部と媒体移動部がコンパクトに納められた光情報記憶装置を複数備えており、コンパクトで大容量の記憶システムを構築することができる。また、光記憶媒体や光情報記憶装置を増やすことによって容易に容量を拡張することができ、媒体格納部や光情報記憶装置の着脱や交換によってメンテナンスを容易に行うこともできる。
【００２７】
上記目的を達成する本発明の光ピックアップは、線状のトラックが設けられた光記憶媒体上に光を集光して集光スポットを形成する光ピックアップであって、集光スポットとトラックとのずれを表した信号を得るための第１の受光素子と、
集光スポットとトラックとのずれを表した信号を得るための第２の受光素子と、
平行光束を生成する光束生成部と、
光束生成部で生成された平行光束を内側部分と外側部分とに分離し、外側部分を第２の受光素子に導く光分離部と、
上記平行光束の、光分離部によって分離された内側部分を光記憶媒体上に集光して集光スポットを形成する集光部と、
集光部の、上記内側部分が通過した通過部分に光記憶媒体から戻ってきた光は第１の受光素子へと導き、集光部の、その通過部分を除く他の部分に光記憶媒体から戻ってきた光は第２の受光素子へと導いて上記外側部分と干渉させる光誘導部とを備えたことを特徴とする。
【００２８】
本発明の光ピックアップによれば、本発明の光情報記憶装置と同様に、平行光束の外側部分と、光記憶媒体から戻ってきた光とが干渉して第２の受光素子上に干渉パターンが生じることによって、従来のトラッキング制御に用いられている干渉パターンの実質的な拡張が実現される。このため、この拡張された干渉パターンが第２の受光素子で受光されることによって、トラックの間隔が狭い場合であっても十分なトラックエラー信号を得ることができる。
【００２９】
なお、本発明にいう光情報記憶システムおよび光ピックアップについては、ここではその基本形態のみを示すのにとどめるが、これは単に重複を避けるためであり、本発明にいう光情報記憶システムおよび光ピックアップには、上記の基本形態のみではなく、前述した光情報記憶装置の各形態に対応する各種の形態が含まれる。
【００３０】
【発明の実施の形態】
以下、本発明の実施形態について説明する。なお、以下の説明では、「情報」と「データ」とを区別せずに用いる場合がある。
【００３１】
図１は、本発明の光情報記憶システムおよび光情報記憶装置の各実施形態を示す外観図である。
【００３２】
この図１には、本発明にいう光記憶媒体の一例として光磁気（ＭＯ）ディスクを用いる、本発明の光情報記憶装置の一実施形態に相当するブレード装置１０と、複数（この図では１０台）のブレード装置１０が組み込まれた、本発明の光情報記憶システムの一実施形態に相当する集合システム２０が示されている。
【００３３】
ブレード装置１０の筐体１１は、ＭＯディスクの直径の２．５倍を越す長さと、ＭＯディスクの直径よりもやや大きい幅（この図では高さ）と、ＭＯディスクの直径よりも大幅に小さい厚み（この図では幅）とを有しており、この筐体１１の一端には、ＭＯディスクが複数枚格納されたマガジン１２が着脱自在に配置されている。
【００３４】
集合システム２０の筐体２１には、複数のブレード装置１０が抜き差し自在に実装されており、各ブレード装置１０のマガジン１２は、ブレード装置１０が集合システム２０の筐体２１に差し込まれた状態でも着脱自在となっている。また、集合システム２０には、複数のブレード装置１０それぞれにおける情報の記録及び再生を統括する制御装置２２も備えられている。
【００３５】
このような集合システム２０は、筐体２１に複数のブレード装置１０がコンパクトに収まっており、コンパクトで大容量の記憶システムとなっている。また、ＭＯディスクやブレード装置１０を増やすことによって容易に容量を拡張することができ、マガジン１２やブレード装置１０の着脱や交換によってメンテナンスを容易に行うこともできる。
【００３６】
図２は、ブレード装置のハードウェア構造を表す図である。
【００３７】
図１にも示したブレード装置１０は、筐体１１内に、上述したマガジン１２と、ＭＯディスク１３に対して情報記録及び情報再生を行うドライブ１６とを備えており、マガジン１２とドライブ１６との間には、それらの相互間でＭＯディスク１３を移動させるチェンジャ１５を備えている。ドライブ１６は、本発明にいう記録再生部の一例に相当し、チェンジャ１５は、本発明にいう媒体移動部の一例に相当する。
【００３８】
このように、ブレード装置１０は、マガジン１２とチェンジャ１５とドライブ１６とを筐体１１内にコンパクトに納めたものであり、マガジン１２内に空きがある範囲では、ＭＯディスク１３を増やすことによって容易に記憶容量を拡張することができる。また、マガジン１２やＭＯディスク１３の着脱や交換によってメンテナンスを容易に行うこともできる。
【００３９】
ブレード装置１０の、マガジン１２とは逆の一端には、ブレード装置１０と外部とのデータ移送を担うインターフェースのコネクタ１７ａが備えられており、ブレード装置１０が、図１に示す集合システム２０の筐体２１に差し込まれると、このコネクタ１７ａは集合システム２０側のコネクタと接合する。
【００４０】
チェンジャ１５は、ＭＯディスク１３をマガジン１２に対して抜き差しする機能、ＭＯディスク１３を図の上下方向に移動させる機能、およびＭＯディスク１３をドライブ１６に対して装填し開放する機能を有している。
【００４１】
図３は、ドライブのヘッド近辺の構造を表す概念図である。
【００４２】
ドライブ１０には、２つのヘッド１６ｂが備えられており、この図３には、それら２つのヘッド１６ｂ近辺の構造が示されている。２つのヘッド１６ｂは、スピンドルモータ１６ａによって保持されて回転されるＭＯディスク１３を挟んで配置されており、各ヘッド１６ｂは、レーザダイオードや光検知素子や各種の光学素子などを内蔵し、記録再生用のレーザ光の発生と再生データの検知とを担う固定アセンブリ３２と、所定のレール上を移動してＭＯディスク１３の所望の位置にレーザ光を照射し、ＭＯディスク１３によって反射された光を固定アセンブリ３２へと返す移動アセンブリ（キャリッジ）３１とで構成されている。更に、移動アセンブリ（キャリッジ）３１は、キャリッジベース３３と、レーザ光を反射する立ち上げミラー３４と、レーザ光をＭＯディスク１３上に集光する集光レンズ３５と、集光レンズ３５を動かすレンズアクチュエータ３６を備えている。
【００４３】
図４は、ドライブの外観を示す図である。ドライブ１６は、２つのドライブベース１６ｃ，１６ｄを有しており、図５は、第１のドライブベース１６ｃを示す図であり、図６は、第２のドライブベース１６ｄを示す図である。
【００４４】
各ドライブベース１６ｃ，１６ｄには、上述した固定アセンブリ３２と移動アセンブリ（キャリッジ）３１が１つずつ搭載されている。また、第１のドライブベース１６ｃにはスピンドルモータ１６ａが搭載され、第２のドライブベース１６ｄには、スピンドルモータ１６ａにＭＯディスク１３を固定するクランプ１６ｅが設けられている。
【００４５】
固定アセンブリ３２には、情報の読み書きに用いられるレーザ光を発生するレーザダイオード３００と、レーザダイオード３００の出力を制御するＡＰＣ（Ａｕｔｏ  Ｐｏｗｅｒ  Ｃｏｎｔｒｏｌ）に用いられる光検出器３０１と、ＭＯディスクが反射した光に含まれている、ＭＯディスクに記憶されている情報に応じたＭＯ信号を得る光検出器３０２と、ＭＯディスク上のトラックに対する集光スポットのずれを表すトラックエラー信号を得る光検出器３０３と、集光スポットのフォーカスのずれを表すフォーカスエラー信号を得る光検出器３０４が取り付けられている。
【００４６】
レーザダイオード３００は、本発明にいう光源の一例に相当し、トラックエラー信号を得る光検出器３０３は、本発明にいう第１の受光素子と第２の受光素子とを兼ねた分割受光素子の一例に相当し、ＭＯ信号を得る光検出器３０２は、本発明にいう第３の受光素子の一例に相当する。
【００４７】
図７は、固定アセンブリの内部構造を示す図である。
【００４８】
固定アセンブリ３２には、図３に示す移動アセンブリ３１に向いた筒口３０５が設けられており、その筒口３０５の奥に複合素子３１０が配置されている。
【００４９】
固定アセンブリ３２に取り付けられたレーザダイオード３００から発せられるレーザ光は拡散光であり、固定アセンブリ３２の枠に穿たれた孔の中に組み込まれているコリメートレンズによって平行光に変換される。また、このレーザ光の光束は断面が楕円形の光束であり、このため、レーザダイオード３００は、複合素子３１０にレーザ光が入射する方向に対して斜めに配置され、レーザダイオード３００によって発せられてコリメートレンズによって平行光に変換されたレーザ光が、プリズム（ここでは図示を省略；図１０参照）によって屈折されることによって断面が円形の光束に変形され、その後、複合素子３１０に入射される。
【００５０】
複合素子３１０の詳細については後述するが、複合素子３１０は、レーザダイオード３００から発せられたレーザ光の一部を、筒口３０５を介して移動アセンブリへと導き、そのレーザ光の一部をＡＰＣ用の光検出器へと導く。また、移動アセンブリから筒口３０５へと戻ってきた光の一部は、複合素子３１０によってこの図７の左上方へと導かれる。
【００５１】
固定アセンブリ３２内には、反射プリズム３２０やビームスプリッタ３３０が配置されており、複合素子３１０によって図の左上方へと導かれた光は、これらの反射プリズム３２０やビームスプリッタ３３０などによって、固定アセンブリ３２の枠に穿たれた穴３４０，３５０，３６０へと導かれて各光検出器に到達する。
【００５２】
ここで、トラックエラー信号を得る技術の比較例とその問題点について説明し、その後、本実施形態に組み込まれている光ピックアップについて説明する。
【００５３】
この比較例では、固定アセンブリ３２内の複合素子３１０に替えて偏光ビームスプリッタが用いられ、トラックエラー信号を得るための光検出器として、単純な２分割光検出器が用いられている。そして、ＭＯディスク上のトラックによって集光スポットの光が回折された０次、−１次、＋１次の各回折光が集光レンズを介して集められ、偏光ビームスプリッタ等を経由して２分割光検出器上に導かれる。これらの回折光が互いに干渉することにより、２分割光検出器の受光面には、プッシュプルパターンと称される干渉パターンが形成される。
【００５４】
図８は、トラックの間隔が広いときの比較例のプッシュプルパターンを示す図である。
【００５５】
この図８には、２分割光検出器の受光面１が示されており、この受光面１は、２つの領域１ａ，１ｂに分割されている。この受光面１にはプッシュプルパターン２が形成されており、ＭＯディスク上のトラックの間隔が従来程度に広いときには、このプッシュプルパターン２には、０次回折光のみからなる中央部２ａと、０次回折光および−１次回折光が干渉しあっている側部２ｂと、０次回折光および＋１次回折光が干渉しあっている側部２ｃとがほぼ同面積で存在している。このプッシュプルパターン２の丸い外形は、集光レンズの開口に対応している。２つの側部２ｂ，２ｃそれぞれの光量の差は、トラックに対する集光スポットのずれに応じて変化するので、受光面１の２つの領域１ａ，１ｂによってプッシュプルパターン２が分割されて受光され、２つの領域１ａ，１ｂによって得られる２つの受光信号の差分によってトラックエラー信号が得られる。
【００５６】
正確なトラッキング制御が行われるためには、このトラックエラー信号が、トラックに対する集光スポットのずれに対して十分な量だけ変化することが必要であるが、トラックの間隔が狭いと、以下説明するように、トラックエラー信号の変化量が減少する。
【００５７】
図９は、トラックの間隔が狭いときの比較例のプッシュプルパターンを示す図である。
【００５８】
トラックの間隔が狭いと、トラックによって回折された、−１次、＋１次の各回折光の回折角度が大きいため、集光レンズを介して集められる−１次、＋１次の各回折光が少ない。このため、２分割光検出器の受光面１に形成されるプッシュプルパターン３は、中央部３ａが大きくて側部３ｂ，３ｃが小さいものとなり、２つの領域１ａ，１ｂによって得られる２つの受光信号の差分がトラックに対する集光スポットのずれに応じて変化する変化量は、正確なトラッキング制御には不十分な変化量となってしまうという不都合を生じる。
【００５９】
このような比較例の問題点を踏まえて、以下、本発明の光ピックアップの実施形態について説明する。なお、以下では、ＭＯディスク上のトラックは、上述した比較例で不都合を生じた狭い間隔のトラックであるものとして説明する。
【００６０】
図１０は、本発明の光ピックアップの第１実施形態を表す概念構成図である。
【００６１】
この図１０には、図３にも示すＭＯディスク１３および集光レンズ３５や、図５にも示す、ＭＯ信号を得る光検出器３０２およびトラックエラー信号を得る光検出器３０３や、図７にも示すレーザダイオード３００および複合素子３１０等が示されている。
【００６２】
レーザダイオード３００から発せられたレーザ光は、図７では図示を省略したコリメートレンズ３０５およびプリズム３０６を介して断面が円形の平行光束に変換される。これらレーザダイオード３００、コリメートレンズ３０５、およびプリズム３０６は、本発明にいう光束生成部の一例を構成している。
【００６３】
複合素子３１０は、領域が分割された第１の偏光分離面３１１と非分割の第２の偏光分離面３１５を有しており、領域が分割された偏光反射面３１２および全反射ミラー面３１０を有する反射プリズム部３１４も有している。レーザダイオード３００、コリメートレンズ３０５、およびプリズム３０６によって生成された平行光束は、複合素子３１０の第１の偏光分離面３１１に入射する。このとき平行光束は、偏光分離面３１１に対してＰ偏光の光となっている。
【００６４】
図１１は、第１の偏光分離面を表す図である。
【００６５】
この第１の偏光分離面３１１は、内側領域３１１ａと外側領域３１１ｂとに分割されており、内側領域３１１ａは、この第１の偏光分離面３１１に対して４５°方向から見ると、その４５°方向から入射する平行光束の径よりも小さい円形となる外形を有している。この円形は、図１０に示す集光レンズ３５の有効径に対応している。この内側領域３１１ａは、Ｓ偏光に対して１００％の反射率を有し、Ｐ偏光に対しては、５０％を上回り１００％未満の反射率を有している。また、外側領域３１１ｂは、Ｐ偏光に対して１００％の反射率を有している。このため、第１の偏光分離面３１１は、平行光束を、内側領域３１１ａに対応する内側部分と外側領域３１１ｂに対応する外側部分とに分離し、内側部分については半分以上を透過させ、外側部分については全反射することとなる。
【００６６】
図１０に戻って説明を続ける。
【００６７】
複合素子３１０に入射した平行光束のうち第１の偏光分離面３１１を透過した内側部分は、第２の偏光分離面３１５に入射する。この第２の偏光分離面３１５は、Ｓ偏光に対して１００％の透過率を有し、Ｐ偏光に対して０％でない所定の透過率を有しており、入射されたＰ偏光の光の一部を透過して集光レンズ３５へと導く。このように集光レンズ３５へと導かれる光の径は、プリズム３０６から複合素子３１０に入射した平行光束の径よりも小さく、集光レンズ３５の、高精度の集光能力が保証された有効径と同じ大きさとなっている。
【００６８】
集光レンズ３５へと導かれた光は、ＭＯディスク１３上に集光されて集光スポットを生じ、ＭＯディスク１３上で反射されるとともにトラックによって回折されて、集光レンズ３５の有効径よりも広い範囲に広がって集光レンズ３５に戻る。本実施形態における集光レンズ３５は、有効径の外側の部分も光を通すものであり、有効径の外側の部分は、有効径内よりは能力は劣るものの、通常のレンズとしての十分な能力を有している。このため、ＭＯディスク１３から集光レンズ３５に戻ってきた光は、集光レンズ３５によって、有効径よりも広い径を有する、ほぼ平行の光束に変換されて複合素子３１０の第２の偏光分離面３１５へと戻る。そして、ＭＯディスク１３に記録された情報を反映した光成分であるＳ偏光成分については、第２の偏光分離面３１５を１００％透過し、第１の偏光分離面３１１で１００％反射される。第１の偏光分離面３１１で反射される光はＰ偏光の成分も一部混じった光となっており、その後、遮光部３１６によって、有効径の外側に相当する部分については遮光され、反射プリズム３２０（ここでは図示を省略；図７参照）とウォラストンプリズム３２１を経由して集光レンズ３２２に入射し、光検出器３０２の受光面に、情報を反映したパターンを生じる。このパターンが光検出器３０２によって検出されることにより、ＭＯ信号が得られる。ＭＯ信号の検出手法は本発明の主題ではないのでこれ以上の説明は省略する。
【００６９】
集光レンズ３５から複合素子３１０の第２の偏光分離面３１５へと戻った光のうち、Ｐ偏光成分の一部は第２の偏光分離面３１５によって反射され、ビームスプリッタ３３０（ここでは図示を省略；図７参照）によって分割されてトラックエラー信号とフォーカスエラー信号を得るために用いられる。なお、フォーカスエラー信号を得る手法等については本発明の主題ではないのでこれ以上の説明は省略し、以下ではトラックエラー信号を得る手法について説明する。
【００７０】
第２の偏光分離面３１５によって反射される光は、上述した反射プリズム３２０とこの図に示す集光レンズ３３１を経て光検出器３０３の受光面に到達する。図８および図９を参照して説明した比較例では、このように受光面に到達した光だけでプッシュプルパターンが生じているが、本実施形態では、プッシュプルパターンを拡大するために、上述した経路とは別の経路の光も以下説明するように光検出器３０３の受光面に導かれる。
【００７１】
この別の経路の光は、プリズム３０６から複合素子３１０に入射した平行光束のうち、第１の偏光分離面３１１で反射された外側部分の光が反射プリズム部３１４の偏光分離面３１２と全反射ミラー面３１３によって反射されて第２の偏光分離面３１５へと導かれて透過されたものである。
【００７２】
ここで、反射プリズム部３１４の偏光分離面３１２には、ＡＰＣ用の光を得るために、領域が分割されたものが用いられている。
【００７３】
図１２は、反射プリズム部の偏光分離面を表す図である。
【００７４】
この偏光分離面３１２も、内側領域３１２ａと外側領域３１２ｂとに分割されており、内側領域３１２ａは、上述した平行光束の内側部分に対応した外形を有している。この内側領域３１２ａは、Ｐ偏光に対して１００％の透過率を有し、外側領域３１１ｂは、Ｐ偏光に対して１００％の反射率を有している。
【００７５】
図１０に戻って説明を続ける。
【００７６】
第１の偏光分離面３１１によって反射された光は、内側部分が偏光分離面３１２の内側領域を透過してＡＰＣ用の光検出器へと導かれ、レーザダイオードの出力調整に用いられる。一方、第１の偏光分離面３１１によって反射された光のうち外側部分は、偏光分離面３１２の外側領域によって反射され、上述したように、全反射面３１３で更に反射されて第２の偏光分離面３１５へと導かれる。
【００７７】
このような別経路の光が、ＭＯディスク１３から戻ってきた光とともに光検出素子３０３の受光面に導かれることにより、本実施形態では、拡大されたプッシュプルパターンが生じることとなる。
【００７８】
図１３は、本実施形態におけるプッシュプルパターンを示す図である。
【００７９】
この図１３に示すように、本実施形態では、光検出器３０２の受光面上には、３つの領域４１０，４２０，４３０からなるプッシュプルパターンが生じる。この３つの領域４１０，４２０，４３０のうちの中央の領域４１０は、図９に示すプッシュプルパターン３と同様のものであり、０次回折光のみからなる中央部４１１が大きく、０次回折光と、−１次回折光あるいは＋１次回折光が干渉しあっている側部４１２，４１３は小さい。
【００８０】
この図１３に示すプッシュプルパターンを構成する３つの領域４１０，４２０，４３０のうち、両側の２つの領域４２０，４３０は、ＭＯディスクに集光スポットを形成する集光レンズの、有効径の外を通って戻ってきた光と、複合素子の反射プリズム部を経由してきた、平行光束の外側部分とが干渉し合っている領域である。これら２つの領域４２０，４３０には、中央の領域４１０の側部４１２，４１３に続くように広がる大きな干渉部４２１，４３１が生じており、これらの干渉部４２１，４３１における干渉は、中央の領域４１０の側部４１２，４１３における干渉と同様な干渉であるため、これら干渉部４２１，４３１の光もトラックエラー信号を得るために利用することができる。
【００８１】
但し、干渉部４２１，４３１における干渉と、側部４１２，４１３における干渉とは、位相がずれているため、トラックエラー信号用の光検出器３０２の受光面は、それらを別々に受光するために分割されている。
【００８２】
図１４は、トラックエラー信号用の光検出器の受光面を示す図である。
【００８３】
トラックエラー信号用の光検出器３０２の受光面は４つの領域に分割されており、中央の２つの半円状領域３０２ａ，３０２ｂからなる円形領域は、図１３に示すプッシュプルパターンの中央の領域４１０に対応するとともに、図１０に示すＭＯディスクに集光スポットを形成する集光レンズ３５の有効径や、複合素子３１０の第１の偏光分離面３１１によって平行光束が分離された内側部分にも対応する領域である。そして、光検出器３０２の受光面の、外側の２つの領域３０２ｃ，３０２ｄは、集光レンズ３５の有効径の外側や、第１の偏光分離面３１１によって平行光束が分離された外側領域に対応しており、図１３に示すプッシュプルパターンの、両側の２つの領域４２０，４３０それぞれの光を受光する。
【００８４】
これら４つの領域３０２ａ，３０２ｂ，３０２ｃ，３０２ｄそれぞれで受光されて得られた各信号をＳａ，Ｓｂ，Ｓｃ，Ｓｄとし、上述した干渉の位相差をαとすると、トラックエラー信号ＴＥＳは、以下の式で求められる。
【００８５】
ＴＥＳ＝Ｓａ−Ｓｂ＋（Ｓｃ−Ｓｄ）ｅｘｐ（ｉα）
つまり、４つの信号Ｓａ，Ｓｂ，Ｓｃ，Ｓｄが位相差を調整されて演算されることによってトラックエラー信号が得られる。
【００８６】
このように得られるトラックエラー信号は、トラックの間隔が狭くても十分に大きな信号となるので正確なトラッキング制御を行うことができる。従って、図１に示すブレード装置１０や集合システム２０は、高い記録密度のＭＯディスクを用いた大容量の装置やシステムとして実現することができる。
【００８７】
以下、本発明の別の実施形態について説明する。
【００８８】
但し、以下の説明では光ピックアップのみについて説明する。ここで、説明する実施形態は、光磁気ディスクを用いる光情報記憶装置などには応用できない形態であるが、集光スポットにおける直線偏光を必要としない光記憶媒体には応用できる形態であり、光ピックアップ以外の構成部分については従来の光情報記憶装置における構成部分を流用することができる。
【００８９】
また、上述した第１実施形態で説明した構成部分と同様の構成部分については、同じ符号を付けて説明を省略する。
【００９０】
図１５は、本発明の光ピックアップの第２実施形態を表す図である。
【００９１】
この第２実施形態では、ＣＤタイプの光ディスク１３’が用いられ、領域が分割された偏光分離面３１１’を有する複合素子３１０’が備えられており、この複合素子３１０’には、第１実施形態と同様にＰ偏光の平行光束が入射される。
【００９２】
偏光分離面３１１’は、上述した第１実施形態の第１の偏光分離面３１１と同様に内側領域と外側領域に分割されており、内側領域は、Ｐ偏光を全透過してＳ偏光を全反射し、外側領域は、０でない所定の反射率でＰ偏光を反射する。このため、複合素子３１０’に入射したＰ偏光の平行光束の内側部分は偏光分離面３１１’を透過し、外側部分は一部が反射される。
【００９３】
偏光分離面３１１’を透過した内側部分は、１／４λ板３１７ｂを通って反射膜３１８で反射され、偏光分離面３１１’へと戻ってくることによりＳ偏光となり、今度は偏光分離面３１１’によって反射される。そして、１／４λ板３１７ａを通って集光レンズ３５に入射し、光ディスク１３’上に集光スポットが形成される。この第２実施形態でも、集光レンズ３５に入射する光は、集光レンズ３５の有効径内に制限された光であるが、集光スポットが光ディスク１３’上で反射され回折された光は、有効径よりも広い範囲に広がって集光レンズ３５に戻る。そして、その光は、１／４λ板３１７ａを通ってＰ偏光となり、偏光分離面３１１’の内側領域は全透過し、外側領域は一部が透過して、集光レンズ３３１を介して光検出器３０３の受光面に導かれる。そして、上述したように、偏光分離面３１１’の外側領域で反射された外側部分と干渉することによって、図１３に示すプッシュプルパターンと同様のプッシュプルパターンを生じ、上記と同様に光検出器３０３で検出されてトラッキングエラー信号が得られる。
【００９４】
図１６は、本発明の光ピックアップの第３実施形態を表す図である。
【００９５】
この図１６に示す第３実施形態には、第２実施形態の複合素子３１０’に対して更に遮光部３１９を備えた複合素子３１０”が備えられている。また、上述した比較例で用いられているような、受光面が単純に２分割された２つの光検出器３０３’，３０３”と、各光検出器に対応した集光レンズ３３１’，３３１”も備えられている。
【００９６】
この第３実施形態では、第２実施形態では用いられていなかった光が集光レンズ３３１”で集められて光検出器３０３”に導かれ、第２実施形態でトラッキングエラー信号を得るために用いられていた光のうち外側部分の光が遮光部３１９で遮光されることにより、２つの光検出器３０３’，３０３”それぞれによって、図１３に示す中央の領域４１０と、両側の領域４２０，４３０とが別々に受光されることとなる。そして、一方の光検出器３０３”の位置を調整することによって、２つの光検出器３０３’，３０３”それぞれで生じている干渉パターンの位相差を補正することができる。このため、この第３実施形態では、トラックエラー信号を得るときには、位相差を調整する必要がなく、演算回路が単純な回路で済む。
【００９７】
このように、第３実施形態では光検出素子や演算回路が単純なものでよいのでコストが低い。
【００９８】
なお、上記説明では、本発明にいう集光部の一例として集光レンズが示されているが、本発明にいう集光部は、回折素子などであってもよい。
【００９９】
また、上記説明では、本発明にいう光束生成部の一例として、レーザダイオードとコリメートレンズとプリズムとで構成されたものが示されているが、本発明にいう光束生成部は、一体形成されたレーザユニットなどであってもよい。
【０１００】
以下、本発明の種々の形態について付記する。
【０１０１】
（付記１）  線状のトラックが設けられた光記憶媒体上に光を集光し、その光の集光スポットを該トラックに追随させながら、該光記憶媒体に対する情報記録および又は情報再生を行う光情報記憶装置であって、
前記集光スポットと前記トラックとのずれを表した信号を得るための第１の受光素子と、
前記集光スポットと前記トラックとのずれを表した信号を得るための第２の受光素子と、
平行光束を生成する光束生成部と、
前記光束生成部で生成された平行光束を内側部分と外側部分とに分離し、外側部分を前記第２の受光素子に導く光分離部と、
前記平行光束の、前記光分離部によって分離された内側部分を前記光記憶媒体上に集光して前記集光スポットを形成する集光部と、
前記集光部の、前記内側部分が通過した通過部分に前記光記憶媒体から戻ってきた光は前記第１の受光素子へと導き、該集光部の、該通過部分を除く他の部分に前記光記憶媒体から戻ってきた光は前記第２の受光素子へと導いて前記外側部分と干渉させる光誘導部とを備えたことを特徴とする光情報記憶装置。
【０１０２】
（付記２）  前記光分離部が、前記内側部分および前記外側部分のそれぞれに対応した、偏光反射率が互いに相違する内側領域と外側領域とに分割された偏光分離面を有するものであることを特徴とする付記１記載の光情報記憶装置。
【０１０３】
（付記３）  光を受ける受光面が内側領域と外側領域に分割されていて、該内側領域が前記第１の受光素子としての機能を担い、該外側領域が前記第２の受光素子としての機能を担う分割受光素子を備えたことを特徴とする付記１記載の光情報記憶装置。
【０１０４】
（付記４）  前記第１の受光素子と前記第２の受光素子とが物理的に独立なものであることを特徴とする付記１記載の光情報記憶装置。
【０１０５】
（付記５）  この光情報記憶装置が、直線偏光の光を前記光記憶媒体上に照射し、該光記憶媒体から戻ってきた光に含まれる、該直線偏光の偏光方向とは異なる偏光方向の光成分を抽出して受光することにより情報を再生するものであって、
再生した情報を表す信号を得るための第３の受光素子を備え、
前記光束生成部が、直線偏光の平行光束を生成するものであり、
前記光分離部が、前記光束生成部で生成された直線偏光の平行光束を内側部分と外側部分とに分離し、該内側部分を直線偏光のままで前記集光部へと導くものであり、
前記光誘導部が、前記通過部分に前記光記憶媒体から戻ってきた光に含まれる、前記平行光束の偏光方向とは異なる偏光方向の光成分を抽出して前記第３の受光素子へと導くものであることを特徴とする付記１記載の光情報記憶装置。
【０１０６】
（付記６）  前記光分離部と前記光誘導部が一体に構成された複合素子を備え、この複合素子が、
内側領域と外側領域とに分割された、該外側領域は前記直線偏光の偏光方向と同じ方向に偏光した光を全反射し、該内側領域は前記直線偏光の偏光方向に垂直な方向に偏光した光を全反射する、前記光束生成部で生成された直線偏光の平行光束が入射する第１の偏光分離面と、
前記直線偏光の偏光方向に垂直な方向に偏光した光を全透過する、前記光束生成部で生成された平行光束のうち前記第１の偏光分離面を透過した光が直進して入射し、その光が透過して前記集光部へと向かう第２の偏光分離面と、
前記集光部から前記第２の偏光分離面に戻ってきて該第２の偏光分離面によって反射される光の進行方向と同じ方向になるように、前記第１の偏光分離面によって反射された光を複数回反射して該第２の偏光分離面に入射させる反射プリズムとを有するものであって、
前記第３の受光素子が、前記集光部から前記第２の偏光分離面に戻ってきて該第２の偏光分離面を透過し、前記第１の偏光分離面によって反射された光を受光するものであることを特徴とする付記５記載の光情報記憶装置。
【０１０７】
（付記７）  前記光記憶媒体が複数格納された媒体格納部と、
前記第１の受光素子、前記第２の受光素子、前記光束生成部、前記光分離部、前記集光部、および前記光誘導部を備えた、前記光記憶媒体に対して情報の記録及び又は再生を行う記録再生部と、
前記媒体格納部と前記記録再生部との相互間で前記光記憶媒体を移動させる媒体移動部と、
前記媒体格納部、前記媒体移動部、および前記記録再生部が内部に一列に配置され、それら媒体格納部、媒体移動部、および記録再生部を一体に保持するブレード筐体と、
この光情報記憶装置が複数実装されるシステム筐体に、この光情報記憶装置を着脱自在に接続する接続部とを備えたことを特徴とする付記１記載の光情報記憶装置。
【０１０８】
（付記８）  線状のトラックが設けられ、情報の記録および再生が可能な、光によって少なくとも情報再生が行われるディスク状の光記憶媒体が複数格納された媒体格納部と、前記光記憶媒体に光を集光し、その光の集光スポットを該トラックに追随させながら、該光記憶媒体に対して情報の記録及び又は再生を行う記録再生部と、前記媒体格納部と前記記録再生部との相互間で前記光記憶媒体を移動させる媒体移動部と、前記媒体格納部、前記媒体移動部、および前記記録再生部が内部に一列に配置され、それら媒体格納部、媒体移動部、および記録再生部を一体に保持するブレード筐体とをそれぞれが備えた複数の光情報記憶装置であって、前記記録再生部が、更に、前記集光スポットと前記トラックとのずれを表した信号を得るための第１の受光素子と、前記集光スポットと前記トラックとのずれを表した信号を得るための第２の受光素子と、平行光束を生成する光束生成部と、前記光束生成部で生成された平行光束を内側部分と外側部分とに分離し、外側部分を前記第２の受光素子に導く光分離部と、前記平行光束の、前記光分離部によって分離された内側部分を前記光記憶媒体上に集光して前記集光スポットを形成する集光部と、前記集光部の、前記内側部分が通過した通過部分に前記光記憶媒体から戻ってきた光は前記第１の受光素子へと導き、該集光部の、該通過部分を除く他の部分に前記光記憶媒体から戻ってきた光は前記第２の受光素子へと導いて前記外側部分と干渉させる光誘導部とを備えた複数の光情報記憶装置と、
前記複数の光情報記憶装置が実装されるとともに、それら複数の光情報記憶装置を着脱自在に保持するシステム筐体と、
前記システム筐体に実装された複数の光情報記憶装置それぞれにおける情報の記録及び又は再生を統括する統括部とを備えたことを特徴とする光情報記憶システム。
【０１０９】
（付記９）  線状のトラックが設けられた光記憶媒体上に光を集光して集光スポットを形成する光ピックアップであって、
前記集光スポットと前記トラックとのずれを表した信号を得るための第１の受光素子と、
前記集光スポットと前記トラックとのずれを表した信号を得るための第２の受光素子と、
平行光束を生成する光束生成部と、
前記光束生成部で生成された平行光束を内側部分と外側部分とに分離し、外側部分を前記第２の受光素子に導く光分離部と、
前記平行光束の、前記光分離部によって分離された内側部分を前記光記憶媒体上に集光して前記集光スポットを形成する集光部と、
前記集光部の、前記内側部分が通過した通過部分に前記光記憶媒体から戻ってきた光は前記第１の受光素子へと導き、該集光部の、該通過部分を除く他の部分に前記光記憶媒体から戻ってきた光は前記第２の受光素子へと導いて前記外側部分と干渉させる光誘導部とを備えたことを特徴とする光ピックアップ。
【０１１０】
【発明の効果】
以上説明したように、本発明の光情報記憶装置および光情報記憶システムによれば、正確なトラッキング制御を行うことによって高い記録密度を実現することができ、本発明の光ピックアップによれば、トラックの間隔が狭くても、正確なトラッキング制御に必要なトラックエラー信号を十分に得ることができる。
【図面の簡単な説明】
【図１】本発明の光情報記憶システムおよび光情報記憶装置の各実施形態を示す外観図である。
【図２】ブレード装置のハードウェア構造を表す図である。
【図３】ドライブのヘッド近辺の構造を表す概念図である。
【図４】ドライブの外観を示す図である。
【図５】第１のドライブベースを示す図である。
【図６】第２のドライブベースを示す図である。
【図７】固定アセンブリの内部構造を示す図である。
【図８】トラックの間隔が広いときの比較例のプッシュプルパターンを示す図である。
【図９】トラックの間隔が狭いときの比較例のプッシュプルパターンを示す図である。
【図１０】本発明の光ピックアップの第１実施形態を表す概念構成図である。
【図１１】第１の偏光分離面を表す図である。
【図１２】反射プリズム部の偏光分離面を表す図である。
【図１３】本実施形態におけるプッシュプルパターンを示す図である。
【図１４】トラックエラー信号用の光検出器の受光面を示す図である。
【図１５】本発明の光ピックアップの第２実施形態を表す図である。
【図１６】本発明の光ピックアップの第３実施形態を表す図である。
【符号の説明】
１０    ブレード装置
１１    筐体
１２    マガジン
１３    ＭＯディスク
１３’    光ディスク
１５    チェンジャ
１６    ドライブ
１６ａ    スピンドルモータ
１６ｂ    ヘッド
１７ａ    コネクタ
２０    集合システム
２１    筐体
２２    制御装置
３１    移動アセンブリ（キャリッジ）
３２    固定アセンブリ
３３    キャリッジベース
３４    立ち上げミラー
３５    集光レンズ
３６    レンズアクチュエータ
３００    レーザダイオード
３０１，…，３０４    光検出器
３０３’，３０３”    光検出器
３０５    コリメートレンズ
３０６    プリズム
３１０    複合素子
３１１    第１の偏光分離面
３１０’，３１０”    複合素子
３１１’    偏光分離面
３１５    第２の偏光分離面
３１２    偏光反射面
３１０    全反射ミラー面
３１４    反射プリズム部
３１６    遮光部
３１７ｂ    １／４λ板
３１７ａ    １／４λ板
３１８    反射膜
３１９    遮光部
３２０    反射プリズム
３２１    ウォラストンプリズム
３２２    集光レンズ
３３０    ビームスプリッタ
３３１，３３１’，３３１”    集光レンズ
【図１】
2004326961.tif 000003
【図２】
2004326961.tif 000004
【図３】
2004326961.tif 000005
【図４】
2004326961.tif 000006
【図５】
2004326961.tif 000007
【図６】
2004326961.tif 000008
【図７】
2004326961.tif 000009
【図８】
2004326961.tif 000010
【図９】
2004326961.tif 000011
【図１０】
2004326961.tif 000012
【図１１】
2004326961.tif 000013
【図１２】
2004326961.tif 000014
【図１３】
2004326961.tif 000015
【図１４】
2004326961.tif 000016
【図１５】
2004326961.tif 000017
【図１６】
2004326961.tif 000018